【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
関心領域を有するボリューム測定領域を撮像するための超音波システムであって、
アレイを有するプローブと、
前記アレイに結合され、該アレイによる超音波送信を制御すると共に前記ボリューム測定領域の超音波画像データを供給する超音波制御ユニットと、
前記超音波画像データに応答し、該超音波画像データに基づいて超音波画像を生成する画像プロセッサと、
前記超音波画像データに基づいて関心領域を識別すると共に、前記ボリューム測定領域内で該関心領域を示す識別データを生成する関心領域（ＲＯＩ）識別器と、
を有し、
前記ボリューム測定領域内における前記超音波送信は、複数の使用ケースにより、これら使用ケースの各識別子に応答して構成可能であり、各使用ケースは特定の撮像手順に関連付けられると共に該撮像手順に関する解剖学的モデルを有し、
前記ＲＯＩ識別器が前記使用ケースの各解剖学的モデルにより構成可能である、
超音波システム。
【請求項２】
前記超音波制御ユニットは送信される超音波の超音波ビームステアリングを制御するビーム成形器を更に有し、前記超音波ビームステアリングが前記複数の使用ケースにより該使用ケースの各識別子に応答して構成される、請求項１に記載の超音波システム。
【請求項３】
関心領域を有するボリューム測定領域を撮像するための超音波システムであって、
アレイを有し、腔内撮像に適したプローブと、
前記アレイに結合され、超音波送信を制御すると共に前記ボリューム測定領域の超音波画像データを供給する超音波制御ユニットと、
前記超音波画像データに応答し、該超音波画像データに基づいて超音波画像を生成する画像プロセッサと、
前記超音波画像データに基づいて関心領域を識別することを可能にすると共に、前記ボリューム測定領域内で該関心領域を示す識別データを生成する関心領域（ＲＯＩ）識別器と、
を有し、
前記超音波送信は、複数の使用ケースにより、これら使用ケースの各識別子に応答して構成可能であり、各使用ケースは特定の腔内撮像手順に関連付けられると共に該腔内撮像手順に関する解剖学的モデルを有し、
前記ＲＯＩ識別器が前記使用ケースの各解剖学的モデルにより構成可能である、
超音波システム。
【請求項４】
前記超音波制御ユニットは超音波ビームステアリングを制御するビーム成形器を更に有し、前記超音波ビームステアリングが前記複数の使用ケースにより該使用ケースの各識別子に応答して構成される、請求項３に記載の超音波システム。
【請求項５】
前記プローブ及び前記ＲＯＩ識別器に結合された駆動機構を更に有し、該駆動機構が動作の間において前記ＲＯＩ識別器の制御の下で前記プローブを移動させるように作用する、請求項３又は４に記載の超音波システム。
【請求項６】
前記プローブは当該超音波システムのユーザコンソールに接続するためのプラグを含んだケーブルを有し、
前記プラグは前記プローブに関連付けられた特定の使用ケースの識別子を記憶するタグを有し、
前記ユーザコンソールが当該超音波システムを前記特定の使用ケースに従って構成するために前記識別子を取り込む前記タグの読取器を有する、
請求項１又は請求項４に記載の超音波システム。
【請求項７】
特定の使用ケースのユーザ指定識別子を受信するユーザインターフェースを更に有する、請求項１から６の何れか一項に記載の超音波システム。
【請求項８】
当該超音波システムが、前記ＲＯＩ識別器に応答して前記プローブのユーザが前記プローブを前記関心領域に関連付けられた目標位置へ誘導することを支援するための誘導命令を生成する、請求項１から７の何れか一項に記載の超音波システム。
【請求項９】
当該超音波システムが前記誘導命令を前記関心領域までの前記プローブの決定された距離に基づいて生成する、請求項８に記載の超音波システム。
【請求項１０】
前記超音波送信又は超音波ビームステアリングの構成は、前記超音波制御ユニットが、使用ケースの各識別子に基づいて、前記関心領域及び前記識別された関心領域を囲む前記ボリューム測定領域内で送信される超音波の周波数を変化させることを含む、請求項１から９の何れか一項に記載の超音波システム。
【請求項１１】
前記超音波ビームステアリングの構成は、前記超音波制御ユニットが、使用ケースの各識別子に基づいて、前記関心領域及び該関心領域を囲む前記ボリューム測定領域内でステアリングされる超音波ビームの密度を変化させることを含む、請求項２又は請求項４に記載の超音波システム。
【請求項１２】
前記プローブは超音波ビームを前記ボリューム測定領域にわたり可変周波数範囲内でステアリングするＣＭＵＴトランスジューサのアレイを有し、当該超音波システムはビーム成形器に結合されると共に前記ＣＭＵＴトランスジューサの動作周波数を前記周波数範囲内で変化させるトランスジューサ周波数コントローラを更に有し、該周波数コントローラは、前記動作周波数を前記超音波ビームが前記ボリューム測定領域内でステアリングされるための第１周波数に設定する、請求項１から９の何れか一項に記載の超音波システム。
【請求項１３】
前記トランスジューサ周波数コントローラは、更に、前記識別データに基づいて前記動作周波数を前記超音波ビームが前記関心領域内でステアリングされるための前記第１周波数より高い第２周波数に変更し、駆動機構が前記プローブを前記識別データに基づいて移動させて、該プローブと前記関心領域との間の距離の変化を可能にする、請求項１２に記載の超音波システム。
【請求項１４】
前記トランスジューサ周波数コントローラは、前記動作周波数を前記超音波ビームが前記関心領域内でステアリングされるための前記第２周波数及び前記超音波ビームが前記関心領域外でステアリングされるための前記第１周波数に同時に設定し、前記第２周波数が前記第１周波数より高い、請求項１３に記載の超音波システム。
【請求項１５】
前記超音波制御ユニット又は前記ビーム成形器が、前記識別された関心領域を囲む前記ボリューム測定領域内では相対的に低い空間分解能及び前記関心領域内では相対的に高い空間分解能を有する超音波画像データを供給する、請求項１１から１４の何れか一項に記載の超音波システム。
【請求項１６】
前記アレイが一次元アレイ又は二次元アレイである、請求項１から１５の何れか一項に記載の超音波システム。
【請求項１７】
前記プローブがＩＶＵＳプローブ又はＩＣＥプローブである、請求項１から１６の何れか一項に記載の超音波システム。
【請求項１８】
請求項１から１７の何れか一項に記載の超音波システムを構成する方法であって、前記方法は、
各々が使用ケース識別子により識別される複数の使用ケースを受信するステップであって、各使用ケースが特定の撮像手順に関連付けられると共に該撮像手順に関する解剖学的モデルを有するステップと、
前記超音波システムにより特定の使用ケース識別子を受信するステップと、
前記超音波送信を前記特定の使用ケース識別子により識別された使用ケースに従って構成するステップであって、前記ＲＯＩ識別器を前記識別された使用ケースの解剖学的モデルにより構成するステップを少なくとも含むステップと、
を有する、方法。
【請求項１９】
前記構成するステップが、ビーム成形器による超音波ビームステアリングを制御するステップを有する、請求項１８に記載の方法。
【請求項２０】
前記構成するステップが、前記関心領域及び前記識別された関心領域を囲む前記ボリューム測定領域内で送信される超音波の周波数を変化させるステップを有する、請求項１８に記載の方法。
【請求項２１】
前記構成するステップが、前記関心領域及び前記識別された関心領域を囲む前記ボリューム測定領域内でステアリングされる超音波ビームの密度を変化させるステップを更に有する、請求項１９に記載の方法。
【請求項２２】
前記プローブを動作の間において駆動機構により前記ＲＯＩ識別器の制御の下で移動させるステップを更に有する、請求項１９から２１の何れか一項に記載の方法。
【請求項２３】
前記ＲＯＩ識別器に応答して前記プローブのユーザが該プローブを前記関心領域に関連付けられた目標位置へ誘導することを支援するための誘導命令を生成するステップを更に有する、請求項１９から２１の何れか一項に記載の方法。